(57)【特許請求の範囲】
【請求項１】
ドア枠に収納され、所定のストロークを移動する第１のドアと該第１のドアのストロークよりも長いストロークを移動する第２のドアから構成され、該第２のドアが該第１のドア内部に収納され、該第１のドアが固定カバーとドア枠の間に収納される放電加工機に設けられた２段式のスライドドアにおいて、
前記第１のドアの側面の上部と下部にそれぞれ１つずつ配置された２つの滑車と、前記２つの滑車に掛け渡された無端状の索条と、
前記ドア枠および前記第２のドアのそれぞれに取り付けられ、前記索条を固定する固定部材とを有し、
前記２つの滑車の回転中心を結ぶ直線の両側に掛け渡された索条の一方側を前記ドア枠に設けられた固定部材に固定し、他方側を前記第２のドアの固定部材に固定したことを特徴とする放電加工機の加工槽の２段式連動スライドドア。
【請求項２】
前記滑車は、前記第１のドアの両端、もしくは２箇所以上に配設されていることを特徴とする請求項１に記載の放電加工機の加工槽の２段式連動スライドドア。
【請求項３】
前記２段式連動スライドドアの前記ドア枠の一端をヒンジに固定して、該ヒンジの一方を加工槽に固定して、前記２段式連動スライドドア全体を放電加工機の加工槽に対して開閉できることを特徴とする請求項１に記載の放電加工機の加工槽の２段式連動スライドドア。
【請求項４】
前記滑車の両端を前記第２のドアの端部に取り付けられた矩形状の滑車取付部材に保持されることを特徴とする請求項１に記載の放電加工機の加工槽の２段式連動スライドドア。
【発明の詳細な説明】
【技術分野】
【０００１】
本発明は、放電加工機の加工槽の２段式スライドドアに関する。
【背景技術】
【０００２】
加工槽のベース部材に対して、少なくとも一つの可動容器部材が加工テーブルの上面よりも低い位置まで開放され、その際加工テーブル上面と加工槽ベース部材の底部の間に可動容器部材が収納され、少なくとも一つの可動容器部材を協働して昇降させる昇降装置が取り付けられている放電加工機の加工槽が提案されている。（特許文献１参照）
【０００３】
加工槽の最も簡易な構造としては、加工槽の前面に加工槽ドアが取付られたものが挙げられる。加工槽ドアは図９のように、加工槽ドアベース部材１と第１昇降ドア２と第２昇降ドア３と加工槽ドアカバー４とストッパ１０によって構成される。加工槽ドアはコの字型でコの字の開口部を上向きにして取り付けられており、第２昇降ドア３は第１昇降ドア２のコの字内部に収納される。
【先行技術文献】
【特許文献】
【０００４】
【特許文献１】特開平６−５５３４９号公報
【発明の概要】
【発明が解決しようとする課題】
【０００５】
背景技術で説明した特許文献１に開示される技術は、パンタグラフとパンタグラフ駆動手段を用いることで、可動容器部材の昇降動作を協働させることができるが、これらは部品点数の増加や組み立て時間の増加に繋がってしまうため簡易な構造ではない。
【０００６】
また、図９において第１，第２昇降ドア２，３は加工槽ドアベース部材１と加工槽ドアカバー４の間に収納される。図１０は昇降ドアの上昇中を表しており、第２昇降ドア３が上昇する際に中には、第２昇降ドア３の上面がストッパ１０に接触して、第１昇降ドア２を押し上げることで、昇降動作を行うことができる。しかしながら、この構造では、図１１の昇降ドア閉完了状態を得るために、第２昇降ドア３と同じストロークの駆動装置（図示せず）が必要になる。
【０００７】
また、第１昇降ドア２がストッパ１０に接触した際に、駆動装置（図示せず）にかかる負荷が変化するため、上昇速度を一定に保つことが困難である。さらに、加工槽ドア１１は、様々な作業を行う作業者の最も近くにある可動部でもあり、第２昇降ドア３がストッパ１０に接触する際に作業者が挟まれてしまう危険がある。
【０００８】
そこで本発明は、上記従来技術の問題点に鑑み、滑車と索条を有する昇降機構を備えた放電加工機の加工槽の２段式連動スライドドアを提供することを課題とする。
【課題を解決するための手段】
【０００９】
本願の請求項１に係る発明は、ドア枠に収納され、所定のストロークを移動する第１のドアと該第１のドアのストロークよりも長いストロークを移動する第２のドアから構成され、該第２のドアが該第１のドア内部に収納され、該第１のドアが固定カバーとドア枠の間に収納される放電加工機に設けられた２段式のスライドドアにおいて、前記第１のドアの側面の上部と下部にそれぞれ１つずつ配置された２つの滑車と、前記２つの滑車に掛け渡された無端状の索条と、前記ドア枠および前記第２のドアのそれぞれに取り付けられ、前記索条を固定する固定部材とを有し、前記２つの滑車の回転中心を結ぶ直線の両側に掛け渡された索条の一方側を前記ドア枠に設けられた固定部材に固定し、他方側を前記第２のドアの固定部材に固定したことを特徴とする放電加工機の加工槽の２段式連動スライドドアである。  
請求項２に係る発明は、前記滑車は、前記第１のドアの両端、もしくは２箇所以上に配設されていることを特徴とする請求項１に記載の放電加工機の加工槽の２段式連動スライドドアである。  
請求項３に係る発明は、前記２段式連動スライドドアの前記ドア枠の一端をヒンジに固定して、該ヒンジの一方を加工槽に固定して、前記２段式連動スライドドア全体を放電加工機の加工槽に対して開閉できることを特徴とする請求項１に記載の放電加工機の加工槽の２段式連動スライドドアである。  
請求項４に係る発明は、前記滑車の両端を前記第２のドアの端部に取り付けられた矩形状の滑車取付部材に保持されることを特徴とする請求項１に記載の放電加工機の加工槽の２段式連動スライドドアである。
【発明の効果】
【００１０】
本発明により、滑車と索条を有する昇降機構を備えた放電加工機の加工槽の２段式連動スライドドアを提供できる。
【図面の簡単な説明】
【００１１】
【図１】２段式連動スライドドアを備えた放電加工機の加工槽の斜視図である。
【図２】本発明の放電加工機の加工槽の２段式スライドドアの実施形態を説明する図である。
【図３】昇降ドアが昇降中である本発明の実施形態を説明する図である。
【図４】昇降ドアが閉完了状態である本発明の実施形態を説明する図である。
【図５】図３の状態を正面から見た図である。
【図６】プーリ保持部材を取り付けた本発明の実施形態を説明する図である。
【図７】図６の状態を正面から見た図である。
【図８】ヒンジによって加工槽ドアを加工槽に固定した本発明の実施形態を説明する図である。
【図９】放電加工機の加工槽の従来のスライドドアを説明する図である。
【図１０】昇降ドアが昇降中である加工槽の従来のスライドドアを説明する図である。
【図１１】昇降ドアが閉完了状態である加工槽の従来のスライドドアを説明する図である。
【発明を実施するための形態】
【００１２】
以下、本発明の実施形態を図面と共に説明する。なお、従来技術と同じ構成または類似する構成は同じ符号を用いて説明する。
＜第１の実施形態＞
図１は２段式連動スライドドアを備えた放電加工機の加工槽の斜視図である。加工槽１２の前面に加工槽ドア１１が取り付けられる。
【００１３】
図２は本発明の放電加工機の加工槽の２段式スライドドアの実施形態を説明する図である。図２のように、第１昇降ドア２の側面の上部と下部にはプーリ５，５が取り付けられ、プーリ５，５にはベルト７が取り付けられる。加工槽ドア１１は、加工槽ドアベース部材１と第１昇降ドア２と第２昇降ドア３と加工槽ドアカバー４とプーリ５と第１ベルト取付部材６とベルト７と第２ベルト取付部材８を含んで構成される。ベルト７は所定の位置で第１ベルト取付部材６を介して加工槽ドアベース部材１に固定される。また、ベルト７は他の所定の位置で第２ベルト取付部材８を介して第２昇降ドア３に固定される。なお、第１昇降ドア２は特許請求の範囲の第１のドアに対応し、第２昇降ドア３は特許請求の範囲の第２のドアに対応する。ベルト７の張力は、ベルト張力調整部材９を用いて調整される。
図３は昇降ドアが昇降中である本発明の実施形態を説明する図である。図４は昇降ドアが閉完了状態である本発明の実施形態を説明する図である。図３は第１，第２昇降ドア２，３の昇降中を表しており、第１昇降ドア２の上昇に伴って、第１昇降ドア２に取り付けられたプーリ５，５がベルト７を引き上げ、引き上げられたベルト７によって、第２昇降ドア３が昇降させられる。すなわち、第２昇降ドア３のストロークの半分のストロークの駆動装置（図示せず）によって、第１昇降ドア２を駆動させることで、図４の昇降ドア閉完了状態を得ることができる。また、第１，第２昇降ドア２，３の昇降中における駆動装置（図示せず）にかかる負荷は一定であるため、昇降速度を定速に調整しやすい。さらに、従来技術のようにストッパ１０を用いないため、作業者が第２昇降ドア３とストッパ１０とに挟まれる危険性が少ない（図９，図１０，図１１参照）。
【００１４】
なお上述した説明では、プーリ５，５は第１昇降ドア２の一方端の側面の上部と下部に取り付けられているが、これに限定されず、例えば、第１昇降ドア２の両端の両側面の上部と下部に設けるようにしてもよい。
【００１５】
＜第２の実施形態＞
図５は昇降ドア昇降中の正面図を表しており、第２昇降ドア３の重量は、ベルト７に加わり、ベルト７の負荷によって、プーリ５はモーメント１５のような力を受けることとなる。モーメント１５によって、プーリ５やプーリ軸受け部（図示せず）には、変形やひずみが生じてしまい、ベルト７のたわみや第１，第２昇降ドア２，３の動作不良を引き起こしてしまう。  
図６は、第２昇降ドア２にプーリ保持部材１４を取り付けた昇降ドアの昇降状態を表しており、図７は、その正面図である。プーリ保持部材１４は強固なロの字形状で、プーリ５はプーリ保持部材１４のロの字内部に、プーリ５の両側を支持するように取り付けられる。したがって、モーメント１５による、プーリ５やプーリ軸受け部（図中省略）の変形を解消することができる。
【００１６】
＜第３の実施形態＞  
図８のように加工槽ドア１１と加工槽１２をヒンジ１３によって固定することで、加工槽ドア１１全体を開放することが可能になり、作業者の加工槽内へのアクセス性を向上させることができる。
【符号の説明】
【００１７】
１  加工槽ドアベース部材
２  第１昇降ドア
３  第２昇降ドア
４  加工槽ドアカバー
５  プーリ
６  第１ベルト取付部材
７  ベルト
８  第２ベルト取付部材
９  ベルト張力調整部材
１０  ストッパ
１１  加工槽ドア
１２  加工槽
１３  ヒンジ
１４  プーリ保持部材
１５  モーメント
【要約】
【課題】滑車と索条を有する昇降機構を備えた放電加工機の加工槽の２段式連動スライドドアを提供すること。
【解決手段】２段式連動スライドドアを備えた放電加工機の加工槽１２の前面に加工槽ドア１１が取り付けられ、第１昇降ドア２の側面の上部と下部にはプーリ５，５が取り付けられ、プーリ５，５にはベルト７が取り付けられる。ベルト７は、ベルト張力調整部材９を用いて張力が調整され、ベルト７の所定位置はベルト取付部材６によって加工槽ドアベース部材１に固定され、ベルト７のさらに他の所定位置はベルト取付部材８によって第２昇降ドア３に固定され、第２昇降ドア３のストロークの半分のストロークの駆動装置（図示せず）によって、第１昇降ドア２を駆動させることで、昇降ドア閉完了状態を得ることができ、第１，第２昇降ドア２，３の昇降中における駆動装置（図示せず）にかかる負荷は一定であるため、昇降速度を定速に調整しやすい。
【選択図】図２【図１】
0005326024.tif 000002
【図２】
0005326024.tif 000003
【図３】
0005326024.tif 000004
【図４】
0005326024.tif 000005
【図５】
0005326024.tif 000006
【図６】
0005326024.tif 000007
【図７】
0005326024.tif 000008
【図８】
0005326024.tif 000009
【図９】
0005326024.tif 000010
【図１０】
0005326024.tif 000011
【図１１】
0005326024.tif 000012